(57)【要約】【課題】絵文字を有効利用して文書作成機能を高める。【解決手段】ステップＳ３でメール作成モードの選択が検出された場合には、表示部にメール作成画面を表示させて（ステップＳ４）、メール作成処理を実行する（ステップＳ５）。このとき、表示部に表示されている文書内において所望の文字列を装飾したい場合には、希望の装飾態様に応じたタグ関連「絵文字」を選択して文字列の先頭と末尾とに挿入する。そして、ステップＳ８での判断の結果、ＨＴＭＬメールが選択された場合には、絵文字データを対応するｈｔｍｌタグに変換し、ｈｔｍｌデータに変換する（ステップＳ１０）。この変換したデータを、ｈｔｍｌとして表示する（ステップＳ１１）。次に、送信が検出されたか否かを判断し（ステップＳ１２）、送信が検出されたならば、ｈｔｍｌメールを送信する（ステップＳ１３）。【選択図】        図８
2004157726.tif 000002
【特許請求の範囲】
【請求項１】
絵文字を複数記憶する絵文字記憶手段と、
絵文字と文字の装飾態様とを対応付けて記憶する装飾態様記憶手段と、
文書を作成するとともに、この作成された文書に前記絵文字記憶手段より絵文字を読み出して任意に挿入する文書作成手段と、
この文書作成手段によって作成された文書を表示する表示手段と、
この表示手段によって表示された文書に前記絵文字が含まれていると、この絵文字に対応する装飾態様を前記装飾態様記憶手段より読み出して文字を装飾し、前記表示手段に表示する文字装飾手段と、
この文字装飾手段によって文字が装飾された文書を送信する送信手段と
を備えることを特徴とする文書データ送信装置。
【請求項２】
前記文字装飾手段は、前記文書のうち同一の絵文字で囲まれた文字の領域について、この絵文字に対応して装飾することを特徴とする請求項１記載の文書データ送信装置。
【請求項３】
前記文字装飾手段は、前記文書のうち対を成す絵文字で囲まれた文字の領域について、この絵文字に対応して装飾することを特徴とする請求項１記載の文書データ送信装置。
【請求項４】
前記文字装飾手段によって文字が装飾された文書を表示する装飾文書表示手段を更に備えることを特徴とする請求項１、２又は３記載の文書データ送信装置。
【請求項５】
前記送信手段は、無線信号により文書データを送信することを特徴とする請求項１から４にいずれか記載の文書データ送信装置。
【請求項６】
前記絵文字は外字コードで指定され、前記装飾態様とは、ＨＴＭＬタグで指定されることを特徴とする請求項１から５にいずれか記載の文書データ送信装置。
【請求項７】
前記絵文字を、ネットワークを介してダウンロードし、前記絵文字記憶手段に記憶させる記憶制御手段を更に備えることを特徴とする請求項１記載の文書データ送信装置。
【請求項８】
前記ダウンロードして絵文字記憶手段に記憶させた絵文字から、前記送信手段により文書データを送信しようとする送信先アドレスに対応する絵文字を選択する選択手段を更に備えることを特徴とする請求項７記載の文書データ送信装置。
【請求項９】
絵文字を複数格納する第１のメモリと、この絵文字と文字の装飾態様とを対応付けて格納する第２のメモリとを備えたデータ送信装置における文書作成方法であって、
文書を作成するとともに、この作成された文書に前記第１のメモリより絵文字を読み出して任意に挿入する文書作成ステップと、
この文書作成ステップによって作成された文書を表示させる表示ステップと、
この表示ステップにて表示された文書に前記絵文字が含まれていると、この絵文字に対応する装飾態様を前記第２のメモリより読み出して文字を装飾し、表示する文字装飾ステップと、
この文字装飾ステップにて文字が装飾された文書を送信する送信ステップと
を含むことを特徴とする文書作成方法。
【請求項１０】
絵文字を複数格納する第１のメモリと、この絵文字と文字の装飾態様とを対応付けて格納する第２のメモリとを備えたデータ送信装置が備えるコンピュータに実行させる文書作成プログラムであって、
文書を作成するとともに、この作成された文書に前記第１のメモリより絵文字を読み出して任意に挿入する文書作成手順と、
この文書作成手順によって作成された文書を表示させる表示手順と、
この表示手順にて表示された文書に前記絵文字が含まれていると、この絵文字に対応する装飾態様を前記第２のメモリより読み出して文字を装飾し、表示する文字装飾手順と、
この文字装飾手順にて文字が装飾された文書を送信させる送信手順と
をコンピュータに実行させることを特徴とする文書作成プログラム。
【発明の詳細な説明】
【０００１】
【発明の属する技術分野】
【０００２】
本発明は、文書データ送信装置、文書作成方法及び文書作成プログラムに関する。
【０００３】
【従来の技術】
【０００４】
今日においては、メール送受信機能を備えた携帯電話端末等の小型で携帯型の文書データ送信装置が汎用されるに至っている。この文書データ送信装置においては、キー配置スペース上の制約等から、据え置き型のパーソナルコンピュータと比較して、文字変換機能や文字装飾機能等の文書作成機能が制限される。その結果、文書作成作業が困難となることから、多種の絵文字を採用して、複数の文字を必要とする表現を単一の絵文字で表現できるようにし、絵文字が挿入された文書の作成及び送信を可能としている。
【０００５】
【発明が解決しようとする課題】
【０００６】
したがって、前述のようにキーの配置数等が制約される文書データ送信装置においては、これに伴う文書作成機能の制限から自在に装飾した文字を含む文書を作成して送信することができない。一方、絵文字にあっては、ＨＴＭＬメールとは異なり、文字コードを利用するため非対応の相手機器に送信しても、相手機器側においては黒点等で表示され、本来の意味内容を読解することは不可能である。したがって、絵文字を使用できるのは実質的には対応する相手機器のみに限定されることから、絵文字の利用価値も自ずと限定されるものであった。
【０００７】
本発明は、このような従来の課題に鑑みてなされたものであり、絵文字を有効利用して文書作成機能を高めることのできる文書データ送信装置、文書作成方法及び文書作成プログラムを提供することを目的とするものである。
【０００８】
【課題を解決するための手段】
【０００９】
前記課題を解決するために請求項１に係る発明にあっては、絵文字を複数記憶する絵文字記憶手段と、絵文字と文字の装飾態様とを対応付けて記憶する装飾態様記憶手段と、文書を作成するとともに、この作成された文書に前記絵文字記憶手段より絵文字を読み出して任意に挿入する文書作成手段と、この文書作成手段によって作成された文書を表示する表示手段と、この表示手段によって表示された文書に前記絵文字が含まれていると、この絵文字に対応する装飾態様を前記装飾態様記憶手段より読み出して文字を装飾し、前記表示手段に表示する文字装飾手段と、この文字装飾手段によって文字が装飾された文書を送信する送信手段とを備える。
【００１０】
したがって、文書作成手段により文書を作成し、その際文書中の任意の位置に絵文字を挿入すると、この絵文字が挿入された文書が表示手段に表示される。そして、このように表示手段に表示された文書に絵文字が含まれていると、文字装飾手段が絵文字に対応する装飾態様で文書中の文字を装飾し、送信手段はこの文字が装飾された文書を送信する。
【００１１】
よって、キーの配置数等が制約され複数の文字を必要とする表現を単一の絵文字で表現できるようにして、文書の作成及び送信を行う文書データ送信装置においても、自在に装飾した文字を含む文書を作成して送信することが可能となる。これにより、絵文字に関して非対応の相手機器に文書を送信するに際しても、絵文字を有効利用することができ、絵文字の利用範囲を拡大しつつ文書作成機能を高めることができる。
【００１２】
また、請求項２に係る発明にあっては、前記文字装飾手段は、前記文書のうち同一の絵文字で囲まれた文字の領域について、この絵文字に対応して装飾する。したがって、文書作成手段により文書を作成するに際して、装飾したい文字列のの先頭と末尾とに同一の絵文字を各々挿入する簡単な入力作業により、この同一の絵文字で囲まれた文字列が挿入した絵文字に対応して装飾される。
【００１３】
また、請求項３に係る発明にあっては、前記文字装飾手段は、前記文書のうち対を成す絵文字で囲まれた文字の領域について、この絵文字に対応して装飾する。したがって、文書作成手段により文書を作成するに際して、装飾したい文字列の先頭と末尾とに対を成す絵文字を各々挿入する簡単な入力作業により、この対を成す絵文字で囲まれた文字列が挿入した絵文字に対応して装飾される。
【００１４】
また、請求項４に係る発明にあっては、前記文字装飾手段によって文字が装飾された文書を表示する装飾文書表示手段を更に備える。したがって、送信手段により送信される文字が装飾された文書を装飾文書表示手段により事前に視認することができる。
【００１５】
また、請求項５に係る発明にあっては、前記送信手段は、無線信号により文書データを送信する。したがって、文字が装飾された文書は無線信号により、相手機器に送信される。
【００１６】
また、請求項６に係る発明にあっては、前記絵文字は外字コードで指定され、前記装飾態様とは、ＨＴＭＬタグで指定される。したがって、送信手段で送信される文字が装飾された文書データ中において、文字の装飾された部分はＨＴＭＬタグで指定される。
【００１７】
また、請求項７に係る発明にあっては、前記絵文字を、ネットワークを介してダウンロードし、前記絵文字記憶手段に記憶させる記憶制御手段を更に備える。したがって、送信する相手機器が加入している通信サービス事業者に応じた絵文字をダウンロードして絵文字記憶手段に記憶させることにより、絵文字の使用可能相手範囲を拡大することもできる。
【００１８】
また、請求項８に係る発明にあっては、前記ダウンロードして絵文字記憶手段に記憶させた絵文字から、前記送信手段により文書データを送信しようとする送信先アドレスに対応する絵文字を選択する選択手段を更に備える。したがって、絵文字記憶手段から送信先アドレスのドメイン名に応じて絵文字を選択し、文書作成手段がこの選択された絵文字を読み出して任意に挿入することにより、異なる通信サービス事業者に加入している送信先でも表示可能な絵文字を使用して文書を作成し送信することができる。
【００１９】
また、請求項９に係る発明にあっては、絵文字を複数格納する第１のメモリと、この絵文字と文字の装飾態様とを対応付けて格納する第２のメモリとを備えたデータ送信装置における文書作成方法であって、文書を作成するとともに、この作成された文書に前記第１のメモリより絵文字を読み出して任意に挿入する文書作成ステップと、この文書作成ステップによって作成された文書を表示させる表示ステップと、この表示ステップにて表示された文書に前記絵文字が含まれていると、この絵文字に対応する装飾態様を前記第２のメモリより読み出して文字を装飾し、表示する文字装飾ステップと、この文字装飾ステップにて文字が装飾された文書を送信する送信ステップとを含む。したがって、記載したステップに従って処理を実行することにより、請求項１記載の発明と同様の作用効果を奏する。
【００２０】
また、請求項１０に係る発明にあっては、絵文字を複数格納する第１のメモリと、この絵文字と文字の装飾態様とを対応付けて格納する第２のメモリとを備えたデータ送信装置が備えるコンピュータに実行させる文書作成プログラムであって、文書を作成するとともに、この作成された文書に前記第１のメモリより絵文字を読み出して任意に挿入する文書作成手順と、この文書作成手順によって作成された文書を表示させる表示手順と、この表示手順にて表示された文書に前記絵文字が含まれていると、この絵文字に対応する装飾態様を前記第２のメモリより読み出して文字を装飾し、表示する文字装飾手順と、この文字装飾手順にて文字が装飾された文書を送信させる送信手順とをコンピュータに実行させる。したがって、前記コンピュータがこのプログラムに従って処理を実行することにより、請求項１記載の発明と同様の作用効果を奏する。
【００２１】
【発明の実施の形態】
【００２２】
以下、本発明を携帯電話によるのメール送受信システムに適用した実施の形態を図に従って説明する。
【００２３】
（第１の実施の形態）
図１は、本発明の第１の実施の形態に係るメール送受信システムの構成を示すブロック図である。図において、携帯電話（文書データ送信装置）１ａ，１ｂは、通話機能とメール送受信機能とを備える。無線基地局２、２は、公衆回線網４を介して携帯電話１ａ，１ｂが加入する通信サービス事業者（インターネットプロバイダを含む）３に接続する。
【００２４】
通信サービス事業者（インターネットプロバイダを含む）３は、主なサービスとして提供している携帯電話サービスに必要とする交換機３４の他、後述のＷＷＷ５に接続するためのシステム（コンピュータ３１、Ｗｅｂサーバ３２、ルータ３５）、メールシステム（メールサーバ３３）を備えている。また、無線基地局２をＡＰ（アクセス・ポイント）として、携帯電話１ａ，１ｂをＷＷＷ５に接続させるための機能も備えている。
【００２５】
公衆回線網４は、アナログ、デジタル電話回線網であり、ＷＷＷ５は所謂インターネットである。
【００２６】
インターネットサービスプロバイダ（以下、ＩＳＰと称す）６は、交換機を除いて、通信サービス事業者３と同じ構成であり、ＷＷＷ５に接続するためのシステム（便宜的にコンピュータ６１、Ｗｅｂサーバ６２、ルータ６５）、メールシステム（メールサーバ６３）を備えている。パーソナルコンピュータ７は、公衆回線網４、ＩＳＰ６を介して、ＷＷＷ５に接続したり、メールの送受信を行う機能を備えている。
【００２７】
図２（ａ）（ｂ）は、携帯電話１ａ、１ｂの外観図（開状態：正面図及び背面図）である。本実施の形態における携帯電話１ａ、１ｂは、蓋部と本体部とからなる二つ折りの構造である。アンテナ１１は、蓋部の背面に設けられており、伸縮自在となっている。スピーカ１２は、蓋部の前面側に設けられており、音声出力を行う。表示部（メイン表示部）１３は、カラー液晶であり、１２０ドット（幅）×１６０ドット（高さ）である。
【００２８】
キー操作部１４は、本体部の前面に設けられており、各種機能キー（メールキー１４１、アドレスキー１４２、ファンクションキー１４３）、テンキー１４４などからなる。メールキー１４１は、メール機能を起動し、メールメニューを表示するためのものである。アドレスキー１４２は、送信先のメールアドレスを選択する際に用いるアドレス帳を開くためのものである。テンキー１４４は、電話番号や文字の入力、及び絵文字の入力の際に使用するものである。マイク１５は、本体部の下部に設けられており、音声入力を行う。
【００２９】
サブ表示部１６は、蓋部の背面に設けられている。背面キー１７は、透明、又は半透明部材で構成され、着信の際、発光するするＬＥＤ１７１を内蔵している。報知スピーカ１９は、着信などを報知するものであり、蓋部本体部に閉じた状態でも報知音が聞こえるように、本体部の裏面に配置されている。
【００３０】
図３は、携帯電話１ａ、１ｂの構成を示すブロック図である。無線送受信部２０は、無線によりアンテナ１１を介して音声やデータ（メールデータ）を送受信し変調／復調する。無線信号処理部２１は、無線送受信部２０で受信した音声やデータを復調し、あるいは無線送受信部２０へ送信するための音声やデータを変調するなどの無線通信に必要な処理をする。制御部２２は、各種動作及び全体の動作を制御する。
【００３１】
ＲＯＭ２４は、書換可能なＦｌａｓｈ  ＲＯＭで構成され、本発明の特徴となる、後述のフローチャートにより示すプログラム等の各種プログラムを格納する。ドライバ２５は、表示部１３を駆動する。ドライバ２６は、サブ表示部１６を駆動する。加入者情報記憶部２７は、本携帯電話１を呼び出すための電話番号や、操作者（加入者）のＩＤ等、プロフィールデータを格納する。ＲＯＭ２８は、制御部２２を制御する各種プログラムなどを格納する。ＲＡＭ２９は、無線通信端末として必要な各種データを記憶し、かつ制御部２２が動作する上で必要なデータを格納するとともに、メールデータも格納記憶する。
【００３２】
音声処理部２００は、マイク１５から入力された音声信号を符号化処理したり、無線信号処理部２１から出力された信号に基づいて復号化してスピーカ１２を駆動させ、音声を出力する。報知デバイス１９２は、報知スピーカ１９、バイブレータ１９１、ＬＥＤ１７１を駆動させるためのドライバである。
【００３３】
図４は、ＲＯＭ２４のメモリエリアの構成を示す概念図である。このＲＯＭ２４は、本実施の形態の特徴であるソフトウェアプログラムを格納する。ＲＯＭ２４は、メールソフトウェアプログラム領域２４１と、その他のプログラム領域２４１４からなる。
【００３４】
メールソフトウェアプログラム領域２４１は、アプリケーション本体を格納する領域２４１１と、後述する絵文字データ格納領域２４１２及び絵文字／ｈｔｍｌタグ変換テーブル２４１３とを有する。その他のプログラム領域２４１４は、上記以外のアプリケーションプログラムなどを格納する。
【００３５】
図５は、ＲＡＭ２９のメモリエリアの構成を示す概念図である。ＲＡＭ２９は、アドレス帳データ格納領域２９１、メールデータ格納領域２９２、添付ファイル格納領域２９３及びその他・ワークメモリ２９４からなる。アドレス帳データ格納領域２９１は、氏名、電話番号、メールアドレス等を一組のレコードとして複数記憶する。メールデータ格納領域２９２は、メールソフトウェアを使用して作成されたメールデータや、受信したメールデータを格納する。添付ファイル格納領域２９３は、メールにファイルが添付されている場合、このファイルを格納する。その他・ワークメモリ２９４は、その他のワークメモリとして各種データ格納する。
【００３６】
図６は、前記絵文字データ格納領域２４１２の構成を示す概念図である。この絵文字データ格納領域２４１２は、複数の絵文字データが外字コードに対応して格納されている。なお、この複数の絵文字データのうち、○で囲った絵文字データは対応するタグが設定されているものである。
【００３７】
図７は、前記絵文字／ｈｔｍｌタグ変換テーブル２４１３の構成を示す概念図である。この絵文字／ｈｔｍｌタグ変換テーブル２４１３には、絵文字と各絵文字に対応するＨＴＭＬタグと複数組記憶されており、ＨＴＭＬタグは「表示方法（装飾態様）」の欄に示した表示方法（装飾態様）で文字列を構成する文字を表示することを意味する。つまり、図６において最上列に示した虫眼鏡の絵文字は、これが装飾したい文字列の先頭と末尾とに挿入された場合、対応するＨＴＭＬタグは「＜ｂｉｇ＞文字列＜／ｂｉｇ＞」であり、このＨＴＭＬタグで囲まれた文字列の表示方法は当該「文字列を拡大表示する」ことを意味する。
【００３８】
次に、以上の構成に係る本実施形態の動作について説明する。制御部２２は、ＲＯＭ２４に格納されているプログラムに基づき、受信待受け状態にあると、図８に示すフローチャートに従って処理を実行する。すなわち、先ずメールキー１４１の操作によるメールモードの選択が検出されたか否かを判断する（ステップＳ１）。メールモードの選択が検出されず、他のモードの選択が検出された場合には（ステップＳ１；ＮＯ）、他のモードの処理に移行する。
【００３９】
メールモードの選択が検出された場合には（ステップＳ１；ＹＥＳ）、メールモードにおいて選択可能なメニューを表示部１３に表示させる（ステップＳ２）。次に、この表示部１３に表示されたメニューの中からメール作成モードの選択が検出されたか否かを判断する（ステップＳ３）。このメール作成モードが選択されなかった場合には（ステップＳ３；ＮＯ）、モード（メールモード）抜けが検出されたか否かを判断する（ステップＳ１４）。そして、モード抜けが検出された場合には（ステップＳ１４；ＹＥＳ）、メールモード処理を終了し（エンド）、モード抜けが検出されなかった場合には（ステップＳ１４；ＮＯ）、検出されたモードに応じて他のモードに移行する。
【００４０】
また、ステップＳ３でメール作成モードの選択が検出された場合には、表示部１３にメール作成画面を表示させて（ステップＳ４）、メール作成処理を実行する（ステップＳ５）。
【００４１】
すなわち、操作者がメール作成モードを選択した後テンキー１４４等を操作して文字を入力すると、図９（ａ）に示すように、入力された文字を適宜漢字変換して表示部１３に表示させていく。また、ファンクションキー１４３の操作により文字種切り替えて「絵文字」を選択すると、同図（ｂ）に示すように、表示部１３に選択可能な絵文字１３１を表示させる。
【００４２】
このとき、表示部１３に表示されている文書内において所望の文字列を装飾したい場合には、希望の装飾態様に応じたタグ関連「絵文字」、つまり図６において○で囲った絵文字を選択して文字列の先頭と末尾とに挿入する。したがって、図９（ｃ）に示すように、文字列「絶対オススメ」を拡大表示させた文書を送信したい場合には、同図に示すように文字列「絶対オススメ」の先頭と末尾とに各々虫眼鏡絵文字１３２、１３２を挿入する。
【００４３】
そして、ステップＳ５に続くステップＳ６では、送信指示が検出されたか否かを判断する。送信指示が検出されるまで、前述のメール作成処理（ステップＳ５）を実行し、送信指示が検出されたならば（ステップＳ６；ＹＥＳ）、絵文字メール送信かｈｔｍｌメール送信かの選択指示画面を表示する（ステップＳ７）。このステップＳ７での処理により、図９（ｄ）に示すように、表示部１３には「メールを送信します送信方法を選択して下さい」の文字列とともに、選択肢「１）絵文字メール」と「２）ＨＴＭＬメール」とが表示されることとなる。
【００４４】
次に、この選択指示表示に対する選択結果が「１）絵文字メール」と「２）ＨＴＭＬメール」のいずれであるかを判断する。「１）絵文字メール」が選択された場合には、入力されたデータを絵文字メールとして表示する（ステップＳ９）。したがって、図９に示した例の場合、このステップＳ９での処理により、図９（ｃ）に示した虫眼鏡絵文字１３２、１３２が挿入された文字列を有する文書が表示部１３に表示されることとなる。
【００４５】
次に、送信が検出されたか否かを判断し（ステップＳ１２）、送信が検出されたならば、ステップＳ８での選択結果に応じたメール（この場合、絵文字メール）を送信した後（ステップＳ１３）、メニュー表示にリターンする。
【００４６】
したがって、「１）絵文字メール」が選択された場合には、図９（ｃ）に示した虫眼鏡絵文字１３２、１３２が挿入された文字列を有する文書を構成するデータからなるメールが受信相手に送信される。よって、これを受信した携帯電話１ｂの表示部１３には、同様に図９（ｃ）に示した虫眼鏡絵文字１３２、１３２が挿入された文字列を有する文書が表示されることとなる。
【００４７】
他方、ステップＳ８での判断の結果、「２）ＨＴＭＬメール」が選択された場合には、絵文字／ｈｔｍｌタグ変換テーブル２４１３を参照して、絵文字データを対応するｈｔｍｌタグに変換し、ｈｔｍｌデータに変換する（ステップＳ１０）。したがって、このステップＳ１０での処理により、図９（ｃ）に示した文書は、図１０に示したｈｔｍｌデータＤに変換されることとなる。
【００４８】
次に、この変換したデータＤを、ｈｔｍｌとして表示する（ステップＳ１１）。このステップＳ１１での処理により、図９（ｅ）に示すように文字列「絶対オススメ」が拡大された文書が表示部１３に表示されることとなる。
【００４９】
次に、送信が検出されたか否かを判断し（ステップＳ１２）、送信が検出されたならば、ステップＳ８での選択結果に応じたメール（この場合、ｈｔｍｌメール）を送信した後（ステップＳ１３）、メニュー表示にリターンする。
【００５０】
したがって、「２）ＨＴＭＬメール」が選択された場合には、図１０に示したｈｔｍｌデータＤからなるメールが受信相手に送信される。これを受信した受信相手の携帯電話１ｂは、受信したデータをＨＴＭＬメールとして表示させることにより、図９（ｅ）に示したように、文字列「絶対オススメ」が拡大された文書が表示部１３に表示されることとなる。
【００５１】
なお、本実施の形態の説明においては、文字列が拡大表示される絵文字を用いた装飾態様についてのみ説明したが、図７に示した他の絵文字を用いた場合にも、同様の手順により対応した装飾態様の文字列を含む文書を送信し得ることは勿論である。また、本実施の形態においては、文書のうち同一の絵文字で囲まれた文字の領域について、この絵文字に対応して装飾するようにしたが、必ずしも同一絵文字にする必要はなく、予め対を成す絵文字を絵文字／ｈｔｍｌタグ変換テーブル２４１３に記憶させておけば、異なる絵文字を対で用いることもできる。
【００５２】
（第２の実施の形態）
図１１は、本発明の第２の実施の形態によるメール送受信システムの構成を示すブロック図である。このブロック図において、前述の図１に示した第１の実施の形態におけるメール送受信システムと同一部分については、同一符号を付して説明を省略する。
【００５３】
本実施の形態にかかるメール送受信システムは、さらにＩＳＰである絵文字サービスプロバイダ８を備えている。この絵文字サービスプロバイダ８は、ＷＷＷ５に接続するためのシステム（便宜的にコンピュータ８１、Ｗｅｂサーバ８２、ルータ８５）を備えている。コンピュータ８１のＲＯＭには、図６に示した絵文字データと図７に示した絵文字／ｈｔｍｌタグ変換テーブル２４１３とが、各々通信サービス事業者毎に格納されている。
【００５４】
つまり、本実施の形態において、携帯電話１ａ，１ｂは、通信サービス事業者３に加入しているものであるが、携帯電話１ｃはこれとは異なる通信サービス事業者１０３に加入しているものである。したがって、携帯電話１ａ，１ｂ同士では、同一の絵文字を用いてメール送受信が可能であるが、携帯電話１ａ，１ｂと携帯電話１ｃ間では、同一の絵文字を用いてメール送受信を行うことができない。
【００５５】
そこで、携帯電話１ａ、１ｂ，１ｃは、自己が加入している通信サービス事業者とは異なる通信サービス事業者用の絵文字及び絵文字／ｈｔｍｌタグ変換テーブル２４１３を絵文字サービスプロバイダ８からダウンロードして、ＲＡＭ２９に格納しておく。そして、例えば携帯電話１ａから携帯電話１ｃにメールを送信する場合には、前記制御部２２が送信先である携帯電話１ｃのアドレスのドメイン名に対応する絵文字をキー操作に応じて選択し、前述のステップＳ５でメール作成処理を実行する。また、ステップＳ１０においては、選択した絵文字に対応する絵文字／ｈｔｍｌタグ変換テーブルを参照して、絵文字データを対応するｈｔｍｌタグに変換し、ｈｔｍｌデータに変換する。
【００５６】
そして、ステップＳ１３では、このようにして携帯電話１ｃのアドレスのドメイン名に対応した絵文字を使用した絵文字メール、又は対応する絵文字／ｈｔｍｌタグ変換テーブルを参照して作成されたｈｔｍｌメールを送信する。これにより、異なる通信サービス事業者に加入している送信先（携帯電話１ｃ）でも表示可能な絵文字を使用して文書を作成し送信することができる。
【００５７】
【発明の効果】
【００５８】
以上説明したように本発明によれば、キーの配置数等が制約され複数の文字を必要とする表現を単一の絵文字で表現できるようにしている文書データ送信装置においても、自在に装飾した文字を含む文書を作成して送信することが可能となる。これにより、絵文字に関して非対応の相手機器に文書を送信するに際しても、絵文字を有効利用することができ、絵文字の利用範囲を拡大しつつ文書作成機能を高めることができる。
【図面の簡単な説明】
【図１】本発明の第１の実施の形態に係るメール送受信システムの構成を示すブロック図である。
【図２】携帯電話の外観図である。
【図３】携帯電話の構成を示すブロック図である。
【図４】ＲＯＭのメモリエリアの構成を示す概念図である。
【図５】ＲＡＭのメモリエリアの構成を示す概念図である。
【図６】絵文字データ格納領域の構成を示す概念図である。
【図７】絵文字／ｈｔｍｌタグ変換テーブルの構成を示す概念図である。
【図８】制御部の処理手順を示すフローチャートである。
【図９】表示部の表示遷移図である。
【図１０】変換されたｈｔｍｌデータを示す図である。
【図１１】本発明の第２の実施の形態に係るメール送受信システムの構成を示すブロック図である。
【符号の説明】
１ａ    携帯電話
１ｂ    携帯電話
１ｃ    携帯電話
２    無線基地局
３    通信サービス事業者
４    公衆回線網
５    ＷＷＷ
６    ＩＳＰ
１３    表示部
１４    キー操作部
１５    マイク
１６    サブ表示部
２０    無線送受信部
２１    無線信号処理部
２２    制御部
２４    ＲＯＭ
２７    加入者情報記憶部
２８    ＲＯＭ
２９    ＲＡＭ
１０３    通信サービス事業者
１３２    虫眼鏡絵文字
１４１    メールキー
１４２    アドレスキー
１４３    ファンクションキー
１４４    テンキー
２００    音声処理部
２４１    メールソフトウェアプログラム領域
２９１    アドレス帳データ格納領域
２９２    メールデータ格納領域
２９４    ワークメモリ
２４１２    絵文字データ格納領域
２４１３    絵文字／ｈｔｍｌタグ変換テーブル
２４１４    プログラム領域
【図１】
2004157726.tif 000003
【図２】
2004157726.tif 000004
【図３】
2004157726.tif 000005
【図４】
2004157726.tif 000006
【図５】
2004157726.tif 000007
【図６】
2004157726.tif 000008
【図７】
2004157726.tif 000009
【図８】
2004157726.tif 000010
【図９】
2004157726.tif 000011
【図１０】
2004157726.tif 000012
【図１１】
2004157726.tif 000013